(57)【特許請求の範囲】
【請求項１】
内部に被検体を入れて撮影するための筒状の空間を有する医用画像診断装置において、
前記筒状の空間の一部領域であって、該筒状の空間の断面となる円周方向に沿った位置に配置され、前記被検体から放出されるＸ線を検出するＸ線検出部と、
前記筒状の空間の前記Ｘ線検出部と異なる領域であって、該筒状の空間の断面となる円周方向に沿った位置に配置され、前記被検体から放出される放射線を検出する放射線検出部と、
前記筒状の空間の一部領域であって、前記Ｘ線検出部および前記放射線検出部の外部のみを光の照射範囲とする位置に配置され、前記被検体への情報を表示する表示部または前記筒状の空間を照明する照明部を形成する発光部と、
を備えることを特徴とする医用画像診断装置。
【請求項２】
前記発光部は前記表示部であり、前記医用画像診断装置を据え付けたときの配置において、該表示部は前記筒状の空間の断面となる円周の上部に配置されることを特徴とする請求項１に記載の医用画像診断装置。
【請求項３】
前記表示部は、前記筒状の空間の断面となる円周の上部のうち、前記放射線検出部から前記医用画像診断装置の外側までの間、または前記放射線検出部と前記Ｘ線検出部の間に配置されることを特徴とする請求項２に記載の医用画像診断装置。
【請求項４】
前記表示部は、前記筒状の空間の断面となる円周の上部のうち、前記放射線検出部から前記医用画像診断装置の外側までの位置に配置される第１表示部と、前記放射線検出部と前記Ｘ線検出部の間に配置される第２表示部により構成されることを特徴とする請求項２に記載の医用画像診断装置。
【請求項５】
前記発光部は前記照明部であり、前記医用画像診断装置を据え付けたときの配置において、該照明部は前記筒状の空間の断面となる円周の下部に配置されることを特徴とする請求項１に記載の医用画像診断装置。
【請求項６】
前記照明部は、前記筒状の空間の断面となる円周の下部のうち、前記放射線検出部から前記医用画像診断装置の外側までの間、または前記放射線検出部と前記Ｘ線検出部の間に配置されることを特徴とする請求項５に記載の医用画像診断装置。
【請求項７】
前記照明部は、前記筒状の空間の断面となる円周の下部のうち、前記放射線検出部から前記医用画像診断装置の外側までの位置に配置される第１照明部と、前記放射線検出部と前記Ｘ線検出部の間に配置される第２照明部により構成されることを特徴とする請求項５に記載の医用画像診断装置。
【請求項８】
前記発光部は、前記筒状の空間の長手方向の両側に遮蔽部を備え、該遮蔽部によって前記発光部からの光を、前記Ｘ線検出部および前記放射線検出部の外部に誘導することを特徴とする請求項１に記載の医用画像診断装置。
【請求項９】
前記放射線検出部は、前記筒状の空間の長手方向の両側に遮蔽部を備え、該遮蔽部によって前記発光部からの光から、前記放射線検出部を遮ることを特徴とする請求項１に記載の医用画像診断装置。
【請求項１０】
前記放射線検出部は、前記筒状の空間の断面となる円周方向に沿って配置される複数の検出器によって構成され、前記筒状の空間側から前記複数の検出器を覆うカバーをさらに備えることを特徴とする請求項１に記載の医用画像診断装置。
【請求項１１】
前記表示部は、前記医用画像診断装置の動作の進行順序に沿って、前記医用画像診断装置からの指示または進行状況を示す情報を、変更して表示することを特徴とする請求項１に記載の医用画像診断装置。
【請求項１２】
内部に被検体を入れて撮影するための筒状の空間を有する医用画像診断装置において、
前記筒状の空間の断面となる円周方向に沿った位置に配置され、前記被検体から放出される放射線を検出する放射線検出部と、
前記筒状の空間の一部領域であって、前記放射線検出部の外部のみを光の照射範囲とする位置に配置され、前記被検体への情報を表示する表示部または前記筒状の空間を照明する照明部を形成する発光部と、
を備えることを特徴とする医用画像診断装置。
【発明の詳細な説明】
【技術分野】
【０００１】
本発明は、Ｘ線ＣＴ装置と核医学診断装置（例えばＰＥＴ装置）とを組合せて構成した医用画像診断装置に関する。
【背景技術】
【０００２】
医用画像診断装置の進展は目覚しく、疾病の早期発見、病巣の位置や形状・大きさの確認、治療経過の観察などに用いられ、医療福祉の向上に貢献している。これら医用画像診断装置としては、例えばＸ線診断装置、超音波診断装置、Ｘ線ＣＴ装置、磁気共鳴イメージング装置、核医学診断装置など診断目的に応じて多種類のものが使用されている。
【０００３】
これら各医用画像診断装置は、夫々に異なった機能的な特徴を有しており、近頃では、同一の患者（被検者）に対して複数の医用画像診断装置による診断画像を得ることによって、より確実な診断を行うようになってきている。例えば、Ｘ線ＣＴ装置により断層画像や三次元画像として得られる人体内部の形態的な情報と、核医学診断装置によって放射性同位体の線量分布を画像化することによって得られる、人体組織の生理的機能や生化学的代謝機能の情報とを総合的に観察することが行われている。
【０００４】
この場合、Ｘ線ＣＴ装置と核医学診断装置とは、同一医療施設であっても、通常は別の撮影室に設置されており、被検者は夫々の撮影室を移動して撮影に望まなければならず、被検者にとっての負担が大きかった。また、歩行が困難な被検者については、移動用の寝台に載せた状態で医療スタッフがそれぞれの撮影室へ運ぶことになり、医療スタッフの負担も無視できなかった。
【０００５】
そこで、このような被検者や医療スタッフの負担を軽減させながら、診断効果を上げるために、Ｘ線ＣＴ装置の架台と核医学診断装置の架台とを同じ撮影室内に並べて配置し、撮影用寝台を共用してこの天板に載せた被検者について、Ｘ線ＣＴ装置と核医学診断装置とによる撮影を順次継続して実施できるようにした複合装置が種々提案されている（例えば、特許文献１参照。）。なお、この特許文献１に記載された複合装置は、Ｘ線ＣＴ装置の架台と核医学診断装置（例えば、ＰＥＴ装置：Ｐｏｓｉｔｒｏｎ  Ｅｍｉｓｓｉｏｎ  Ｔｏｍｏｇｒａｐｙ）の架台とは夫々独立したものとして構成されているが、最近では１つの架台にＸ線ＣＴ装置の撮影部とＰＥＴ装置の撮影部とを収容したものも提案されている。
【０００６】
【特許文献１】特開２００５−３４８８４１号公報
【発明の開示】
【発明が解決しようとする課題】
【０００７】
ところで、Ｘ線ＣＴ装置やＰＥＴ装置は、中空筒状（ドーム状）に形成された撮影部に、寝台天板に寝かせた被検者を送り込んで画像データを収集することになるが、Ｘ線ＣＴ装置とＰＥＴ装置とを組合せて一体的に構成した医用画像診断装置では、被検者を配置して画像データを収集するための撮影部の長さ（奥行き）が長くなる。殊に、昨今のＸ線ＣＴ装置は例えば２５６スライスの同時撮影を可能とする多列検出器が搭載されるようになってきており、そのため撮影部の長さが飛躍的に長くなり、Ｘ線ＣＴ装置とＰＥＴ装置とを一体化した医用画像診断装置の架台の前面カバーと後面カバーとの間に形成される中空筒状の撮影部の長さも長くなる。
【０００８】
この中空筒状の撮影部の長さが長くなると、ここに外部（すなわち撮影室内）からの照明光が入り難くなるので、撮影部内が暗くなってしまい、撮影室の照明を明るくしても撮影部内を十分明るくすることは難しかった。そして、撮影の開始位置から終了位置に到達するまでの間、この暗い撮影部が被検者の視界の大部分を占めることになるので、被検者に大きな不安感をもたせてしまうという問題があった。また、ＰＥＴ装置による画像データの収集（以下、ＰＥＴ撮影という。）には、通常３０分程度の時間がかかり、その間被検者は撮影部に置かれたままじっとしていなければならないので、被検者により不安感、閉塞感を与えてしまうことになっていた。
【０００９】
また、従来のＸ線ＣＴ装置では、撮影部の端部すなわち架台の前面や後面のカバーに、表示機構が備えられていて、被検者はこの表示を見て、撮影の進行状況や息止めの開始や停止あるいは息止めの継続時間などを認識することができたが、Ｘ線ＣＴ装置とＰＥＴ装置とが一体的に構成された医用画像診断装置では、撮影部の長さが飛躍的に長くなり、撮影部内からその端部の表示機構を視認することができず、撮影を実施する側としても被検者側としても、表示機構の持つ機能を十分利用することができないという問題があった。
【００１０】
本発明は、このような問題を解決するためになされたものである。
【課題を解決するための手段】
【００１１】
本発明の一形態は、内部に被検体を入れて撮影するための筒状の空間を有する医用画像診断装置において、前記筒状の空間の一部領域であって、該筒状の空間の断面となる円周方向に沿った位置に配置され、前記被検体から放出されるＸ線を検出するＸ線検出部と、前記筒状の空間の前記Ｘ線検出部と異なる領域であって、該筒状の空間の断面となる円周方向に沿った位置に配置され、前記被検体から放出される放射線を検出する放射線検出部と、前記筒状の空間の一部領域であって、前記Ｘ線検出部および前記放射線検出部の外部のみを光の照射範囲とする位置に配置され、前記被検体への情報を表示する表示部または前記筒状の空間を照明する照明部を形成する発光部と、を備える。
また、本発明の一形態は、内部に被検体を入れて撮影するための筒状の空間を有する医用画像診断装置において、前記筒状の空間の断面となる円周方向に沿った位置に配置され、前記被検体から放出される放射線を検出する放射線検出部と、前記筒状の空間の一部領域であって、前記放射線検出部の外部のみを光の照射範囲とする位置に配置され、前記被検体への情報を表示する表示部または前記筒状の空間を照明する照明部を形成する発光部と、を備える。
【発明の効果】
【００１２】
本発明の一形態によれば、狭く、そして視界も限られる撮影部内に置かれる被検者に対して、撮影部内を明るくし、撮影の進行状況などに関する情報を提供するようにしたことにより、被検者を閉塞感から解放するとともに安心感を持って医用画像の撮影に望んでもらうことができ、被検者の立場に立った医用画像診断装置が提供される。
【００１３】
また、Ｘ線ＣＴ装置とＰＥＴ装置との撮影部が共通となり、寝台天板に載置された被検者をＸ線ＣＴ装置とＰＥＴ装置の各撮影位置に順次位置づけることができるので、ＣＴ撮影とＰＥＴ撮影とを効率的に実施することができ、被検者や医療スタッフの負担を軽減できる。
【００１４】
また、Ｘ線ＣＴ装置とＰＥＴ装置との各撮影位置を避けて照明部および／または表示部を設けることになるので、両装置での画像データの収集に支障を及ぼすことを確実に防止できる。
【００１５】
また、Ｘ線ＣＴ装置とＰＥＴ装置との各撮影位置を含めて撮影部の壁面をスクリーンとして利用するので、両装置での画像データの収集に支障を及ぼすことなく表示範囲を広くとることができる。
【００１６】
また、被検者に息止めの開始、終了などを容易に指示することができ、撮影の失敗を防止できる。また、撮影終了までの時間を知らせて、被検者に安心感を与えることができる。さらに、短編映画などの動画を表示すれば、撮影時間が長くなる場合でも被検者を退屈させることなく、よりリラックスして撮影に望んでもらうことができる。  
また、照明が直接被検者の目に差し込まないので、眩しさがなく、被検者は長時間の撮影でも安静を保つことができる。
【発明を実施するための最良の形態】
【００１７】
以下、本発明に係る医用画像診断装置の一実施例を説明する。なおこれらの図において、同一部分には同一符号を付して示してある。
【００１８】
図１は、本発明に係る医用画像診断装置の一実施例の全体的な構成を示した系統図である。医用画像診断装置１０は、架台を共通にしてＸ線ＣＴ装置２０とＰＥＴ装置３０とを備えている。また後述するが、医用画像診断装置１０は、Ｘ線ＣＴ装置２０とＰＥＴ装置３０とを共通にする撮影部を備えており、この撮影部には表示部４０と照明部５０が設けられている。そして、医用画像診断装置は、その撮影部へ被検者を送り込むための寝台６０を備えている。なお、Ｘ線ＣＴ装置２０、ＰＥＴ装置３０および寝台６０を制御するためのスキャン制御部７０と、このスキャン制御部７０の制御のもとで表示部４０と照明部５０を制御するナビゲーション制御部８０およびスキャン制御部７０に対して操作者が適宜指示や設定値などを入力する操作部９０なども備えている。
【００１９】
次に、本発明に係る医用画像診断装置の一実施例のより具体的な構成を、図２を参照して説明する。
【００２０】
図２は、本発明に係る医用画像診断装置の一実施例の側面側から見た縦断面図であり、医用画像診断装置１０の内部に配置されるＸ線ＣＴ装置２０とＰＥＴ装置３０の位置関係および撮影部１３との関係を概略的に示したものである。
【００２１】
すなわち、医用画像診断装置１０は床に据付られており、内部にＸ線ＣＴ装置２０とＰＥＴ装置３０とが、撮影部１３を共通にして長手方向に直列に配置されている。医用画像診断装置１０の表面はカバーで覆われていて、前面カバー１１と後面カバー１２の間を貫通するようにして、中空筒状の撮影部１３が医用画像診断装置１０の略中央部に形成されている。この撮影部１３には、被検者Ｐを載置した寝台６０の天板６１が、矢印６２で示すように前面カバー１１の外側から進退自在に挿入されるようになっている。なお、撮影部１３は、マイラーなどを材料としたカバー１４（以下、ドームカバーと称する。）で囲まれて中空筒状に形成され、このドームカバー１４によって、医用画像診断装置１０の内部と撮影部１３とが仕切られている。
【００２２】
医用画像診断装置１０は、Ｘ線ＣＴ装置２０とＰＥＴ装置３０とに分けられている。図２では、寝台６０が左側に配置され、Ｘ線ＣＴ装置２０、ＰＥＴ装置３０の順に並んでいる。このような配置になることで、被検者Ｐは、寝台６０から送り込まれ、Ｘ線ＣＴ装置２０により撮影され、その後ＰＥＴ装置３０により撮影される。
【００２３】
図２では後面カバー１２側を頭側とし、前面カバー１１側を足側としたので、このときＰＥＴ装置３０による撮影の時には主に表示部４５の画面を被検者Ｐは見ることになる。一方、被検者Ｐは逆向きに送り込まれることもある。このときにはＰＥＴ装置３０による撮影の時には表示部４０の方が頭に近くなるので、被検者Ｐは表示部４０の画面を見ることになる。したがって、ナビゲーション制御部８０は、被検者Ｐの向きにしたがって、表示部４０に画面表示するか、表示部４５に画面表示するかを決めて指示する。被検者Ｐの向きは操作部９０から指示してもよく、検査の進行状態からナビゲーション制御部８０が判断しても良い。または被検者Ｐの向きに関わらず、表示部４０と表示部４５の両方の画面に表示しても良い。
【００２４】
Ｘ線ＣＴ装置２０は、斜線を施した部分に、撮影部１３の周りを回転するＸ線管とＸ線検出器からなるＸ線部２５を備えており、符号２１を付して示した周状の範囲がＸ線の照射と検出を行う位置となり、Ｘ線部２５が回転することになる。以下、この位置２１をＣＴ撮影位置２１と称する。このＣＴ撮影位置２１およびＸ線部２５は、Ｘ線ＣＴ装置２０の中心領域に位置している。そして、このＸ線ＣＴ装置２０は、寝台６０から進行方向６２に沿って、医用画像診断装置１０に入ったところに配置されている。
【００２５】
一方、ＰＥＴ装置３０は、符号３１を付して示した周状の範囲が、予め被検者Ｐに投与した放射性薬剤に基づき被検者Ｐから放出されるガンマー線を検出する位置となり、この位置３１の斜線を施した部分に、撮影部１３の周りを囲むようにガンマー線を検出する検出器を含むＰＥＴ検出部３５が配列されている。以下、この位置３１をＰＥＴ撮影位置３１と称する。このＰＥＴ撮影位置３１およびＰＥＴ検出部３５は、ＰＥＴ装置３０の中心領域に位置している。そして、このＰＥＴ装置３０は、寝台６０から進行方向６２に沿って、Ｘ線ＣＴ装置２０からさらに入ったところに配置されている。
【００２６】
なお、撮影部１３の内周面に設けたドームカバー１４には、ＣＴ撮影位置２１とＰＥＴ撮影位置３１との部分だけ、他と異なるように着色したり模様を付けたりして、ＣＴ撮影位置２１とＰＥＴ撮影位置３１とが、撮影部１３内から被検者Ｐまたは医療スタッフが目視で確認できるようになっている。
【００２７】
また、撮影部１３には、ＣＴ撮影位置２１とＰＥＴ撮影位置３１とを避けるようにして、表示部４０，４５と照明部５０，５５とが設けられている。すなわち、表示部４０と照明部５０は、ＣＴ撮影位置２１とＰＥＴ撮影位置３１間に設けられる。表示部４０と照明部５０は、Ｘ線ＣＴ装置２０とＰＥＴ装置３０にまたがって配置されている。表示部４０は、医用画像診断装置１０内部のドームの、上側の壁に沿って、この上側の壁の下部に配置されている。照明部５０は、医用画像診断装置１０内部のドームの、下側の壁に沿って、この下側の壁に載せて配置されている。
【００２８】
一方、表示部４５と照明部５５は、ＣＴ撮影位置２１から前面カバー１１寄りの空間部或いはＰＥＴ撮影位置３１から後面カバー１２よりの空間部に適宜設けられる。表示部４５は、医用画像診断装置１０内部のドームの、上側の壁に沿って、この上側の壁の下部に配置されている。照明部５５は、医用画像診断装置１０内部のドームの、下側の壁に沿って、この下側の壁に載せて配置されている。
【００２９】
ところで表示部４０は、被検者Ｐに対して撮影の進行状況などの情報を提供して、撮影時の被検者Ｐの不安感を低減することを目的としており、或いは撮影を実施する医療スタッフが、被検者に息止めを指示したり、息止めの終了を伝えたりするために設けたものである。そのため、例えば現在Ｘ線ＣＴ装置２０での撮影を実施中であるとか、ＰＥＴ装置３０での撮影中であるとかを表示したり、比較的長い時間を要するＰＥＴ装置３０による撮影中には、撮影終了までの残り時間を表示したりする。さらに、短編映画などの動画の表示も可能であり、被検者の好みに応じた動画を選択的に表示することにより、撮影中の被検者にリラクゼーションを提供することもできる。
【００３０】
この表示部４０としては、例えばＥＬディスプレイ、液晶表示器、電子インクシートなど各種の公知の表示装置を採用することができる。またその形状も平板状のものや、円筒状のドームカバー１４の壁面に沿った曲面状のものなど適宜のものを採用することができる。さらに、撮影部１３のドームカバー１４の表面をスクリーンとして利用することも可能であり、この場合は、前面カバー１１または後面カバー１２の外側にプロジェクタを配置しておき、撮影部１３の外側から撮影部１３内へ必要な情報を投影してドームカバー１４の表面に表示させるようにする。また表示部４５にも、表示部４０と同様のものを採用する。
【００３１】
なお、図２には表示部４０を２箇所に設けた様子を示したが、これに限らず１箇所でも３箇所以上に設けても良い。
【００３２】
一方照明部５０は、撮影部１３の長さが１メートルほどにもなると、外部からの光が入り難くなって撮影部１３が暗くなることにより、被検者Ｐが不安に感じたり閉塞感を感じたりすることにつながるので、それら不安感や閉塞感を低減するために設けたものである。そのため、撮影部１３を程よい明るさにし、かつ被検者Ｐが眩しさを感じないように、例えば挿入される天板６１の下から撮影部１３内に光が洩れるような間接照明となるようにしている。この照明部５０としては、明るさを適宜調節できる調光可能なものであることが好ましい。
【００３３】
なお、照明部５０も１箇所だけでなく複数個所に分散して設けても良く、天板６１より上に位置するように設けても良い。また、照明部５０をＸ線ＣＴ装置２０側とＰＥＴ装置３０側とに分けて設け、Ｘ線ＣＴ装置２０によるＣＴ撮影中はＸ線ＣＴ装置２０側の照明部５０を点灯し、ＰＥＴ装置３０によるＰＥＴ撮影中はＰＥＴ装置３０側の照明部５０を点灯する。このようにすれば、ＣＴ撮影位置２１での撮影中か、ＰＥＴ撮影位置３１での撮影中であるかを、被検者Ｐへ容易に認識してもらうことができ、照明部５０を表示部４０の機能としても利用することができる。
【００３４】
逆に、表示部４０に各種情報が表示されているときは、表示部４０の画面が撮影部１３内を明るくすることにもなるので、この表示部４０を作動させている場合には、照明部５０の点灯を停止したり明るさを絞ったりして省エネを図るようにするのが良い。場合によっては、照明部５０の設置を省略することも可能である。以上、照明部５０について説明したが、照明部５５にも同様のものを採用する。
【００３５】
図２は、医用画像診断装置１０を被検者Ｐの進行方向横向きに示したものであるが、半径方向から見た場合についても後述する。半径方向の図として、断面１００に沿って表示部４０と照明部５０を含む面、および断面１１０に沿ってＰＥＴ検出部３５を含む面、について後述する。
【００３６】
（各部の配置について）
以上のように、医用画像診断装置１０の内部に表示部４０，４５および照明部５０，５５を配置して被検者Ｐに指示したり内部を明るくする場合について説明したが、これらの各部は、内部を明るくすればどこに配置してもかまわないというものではなく、被検者Ｐへの不安軽減を図るとともに、撮影に不都合が生じないよう配置することが望まれる。そこで次に、表示部４０，４５および照明部５０，５５の配置について説明する。
【００３７】
図３（Ａ）は、表示部４０を内部に配置する場合の一例である。表示部４０をドーム上部に配置するとともに、被検者Ｐの進行方向に対して表示部４０の位置とＰＥＴ検出部３５が重なる場合を示している。このように配置する場合、表示部４０がＰＥＴ検出部３５と被検者Ｐの間に位置することで、表示部４０が障害になることに加え、表示部４０から発する光がＰＥＴ検出部３５に入ってしまうという問題が発生する。ＰＥＴ検出部３５は光の照射に弱く、それにより検出にノイズが生じてしまったり、故障したりしてしまうという問題がある。したがって、図３（Ａ）に示すような、表示部４０によりノイズが生じるような配置は避けるようにすることが望ましい。
【００３８】
図３（Ｂ）は、表示部４０を内部に配置する場合の他の一例である。この場合、表示部４０をドームの内壁に配置するとともに、ＰＥＴ検出部３５と並べた配置にしたものである。ＰＥＴ検出部３５と並べているので、間に入って障害になるということは避けられるが、隣接しているので表示部４０からの光がＰＥＴ検出部３５に入るという問題がある。
【００３９】
以上の問題は、放射線を検出して診断するという核医学診断装置に対して生ずるものであり、たとえばＭＲＩ装置のように磁気を用いて検出する装置の場合、特に問題とならない。したがって、たとえばＭＲＩ装置も同様にドーム内部が長くなってしまうという問題はあるが、こうしたＭＲＩ装置に対して内部を照明しようという場合は、図３（Ａ）のように検出器下部に配置したり、図３（Ｂ）のように並べて配置したりされる。少なくとも表示部４０，４５および照明部５０，５５の配置を検討する必要性は生じない。
【００４０】
後述の実施の形態では、Ｘ線ＣＴ装置２０とＰＥＴ装置３０をつなげることでドーム内部が大きくなり暗くなることから、内部に表示、照明をすることを意図している。さらにＭＲＩ装置と異なりＰＥＴ装置では光に弱いという性質があることから、後述のように表示部４０，４５および照明部５０，５５の配置を工夫するものである。
【００４１】
図３（Ａ）および３（Ｂ）では表示部４０を用いて説明したが、表示光がノイズを生じる点では表示部４５も同様であり、また光を発する点では照明部５０，５５も同様に配慮して配置することが求められる。そこで、以上の問題点を解決するための配置について、図２の構成に関連してさらに詳細に説明する。
【００４２】
（各部の配置に関する実施例）
図４は、医用画像診断装置のドーム内の配置を説明するブロック図である。図４の構成は図２と基本的には同じであるが、表示部４０，４５および照明部５０，５５の配置をさらに詳細に説明したものである。図３（Ａ），図３（Ｂ）に関連して説明したように、表示部４０，４５はドーム上部の内壁下側に、ＰＥＴ検出部３５から離れて配置される。同様に、照明部５０，５５も、ドーム下側の内壁上側に、ＰＥＴ検出部３５から離れて配置される。
【００４３】
このように各部をＰＥＴ検出部３５から離して配置している一方、ＰＥＴ検出部３５に近すぎると光を入れてしまうことになる。内部のスペースの都合上、極端に離れて配置するのもまた難しい。そこで、表示部４０，４５および照明部５０，５５の照射範囲をＰＥＴ検出部３５の外側とする。すなわち、図４の配置によれば、ＰＥＴ検出部３５およびＸ線部２５の外側を光の照射範囲とする位置に、表示部４０，４５および照明部５０，５５を配置する。それによりＰＥＴ検出部３５に光が照射されないので、光の入射によるノイズを回避することができる。
【００４４】
表示部４０および照明部５０は、Ｘ線部２５とＰＥＴ検出部３５の間に、Ｘ線部２５にもＰＥＴ検出部３５にも重ならないように配置する。さらに、Ｘ線部２５およびＰＥＴ検出部３５と重なる位置からさらに離して配置し、表示部４０および照射部５０のそれぞれから発光する光の照射範囲を、Ｘ線部２５およびＰＥＴ検出部３５の間の空間内とする。
【００４５】
表示部４５および照明部５５は、ＰＥＴ検出部３５から後面カバー１２側に、ＰＥＴ検出部３５に重ならないように配置される。そしてさらに、Ｘ線部２５およびＰＥＴ検出部３５と重なる位置からさらに離して配置し、表示部４５および照射部５５のそれぞれから発光する光の照射範囲を、ＰＥＴ検出部３５から外までの間の空間内とする。
【００４６】
表示部４０は、医用画像診断装置１０のドーム上部であって、その照射範囲４７がＰＥＴ検出部３５（下方）の外側となる位置に配置される。このときの表示部４０の位置はＰＥＴ検出部３５（上方）から離れている。表示部４０が情報を表示すると光を発するので、その光はドーム下部の照射範囲４７に届く。この照射範囲４７がＸ線部２５およびＰＥＴ検出部３５と重ならないように、この照射範囲４７は、ＰＥＴ検出部３５の外側に形成される。照射範囲４７がＰＥＴ検出部３５の外側に形成されるので、ＰＥＴ検出部３５に光が入射されない。
【００４７】
また、表示部４５についても表示部４０と同様である。表示部４５はドーム上部であって、その照射範囲４６がＰＥＴ検出部３５の外側となる位置に配置されて発光するので、ドーム下部に照射範囲４６を形成する。この照射範囲４６がＰＥＴ検出部３５の外側とされるので、ＰＥＴ検出部３５に光が入射されない。
【００４８】
また、照明部５０についても同様で、ドーム下部であって、その照射範囲５７がＰＥＴ検出部３５の外側となる位置に配置されて発光して、ドーム上部に照射範囲５７を形成する。一方で照明部５５もドーム下部であって、その照射範囲５６がＰＥＴ検出部３５の外側となる位置に配置されて発光してドーム上部に照射範囲５６を形成する。照射範囲５６および５７は、ＰＥＴ検出部３５の外側とされ、ＰＥＴ検出部３５に光が入射されない。
【００４９】
（遮蔽板）
以上、各部の配置によりその照射範囲をＸ線部２５とＰＥＴ検出部３５の外側としたが、ＰＥＴ検出部３５への光の入射を回避する構成は、他にも考えられる。たとえば、表示部４０の側面に遮蔽板８６を配置することが考えられる。遮蔽板８６を設けることにより、光の照射範囲４７は狭くなる。この狭くなった照射範囲４７を、Ｘ線部２５とＰＥＴ検出部３５の間とする。照射範囲４７は狭くなるので、表示部４０は、Ｘ線部２５とＰＥＴ検出部３５の間で配置しやすくなり、たとえばＸ線部２５寄り、またはＰＥＴ検出部３５寄りに配置することも出来る。表示部４０の配置に自由度が増すので、表示部４０を被検者Ｐにとって見やすい場所に配置することが出来る。
【００５０】
ここで、遮蔽板８６は、表示部４０の被検者Ｐの進行方向および逆方向に沿った側部をすべて覆うように配置される。したがって、ドーム断面から見て、表示部４０がドーム内に半径方向に沿って曲線状に配置されている場合、この遮蔽板８６も同様に半径方向に沿って曲線状に配置される。表示部４０は曲線状でなく、平板の場合もあるが、このときは遮蔽板８６も表示部４０の平板に沿って直線状に配置される。しかしドーム内壁は曲線なので、遮蔽板８６のすきまから光が漏れないように、遮蔽板８６は、ドームの内壁に至るまで表示部４０をふさぐ。このように、遮蔽板８６を側面に配置することにより、光を外に漏れないようにふさぐ。光を遮蔽板８６によりふさぐことにより、表示部４０から光の広がりを一定範囲に抑えるので、照射範囲４７の大きさを最小限にすることができ、ＰＥＴ検出部３５に光が照射されるのを防ぐことが出来る。
【００５１】
表示部４０には遮蔽板８６を配置したが、表示部４５には遮蔽板８７、照明部５０には遮蔽板８８、照明部５５には遮蔽板８９を配置することが出来る。それによってそれぞれ照射範囲４６，５７，５６を狭め、ＰＥＴ検出部３５に光が照射されるのを防ぐことが出来る。遮蔽板８７，８８，８９の配置は、遮蔽板８６と同様である。
【００５２】
また、上述のように各部からの光の照射範囲が狭められるので、表示部４０，４５は、配置の自由度が増し、これにしたがって被検者Ｐから見えやすい位置に配置されるのが好ましい。そのために表示部４０，４５の２つが図４に示したように配置される。そして、被検者Ｐが後面カバー１２向き、すなわち図４では右向きに進むときには、ＰＥＴ検出部３５から後面カバー１２側に離れて配置された表示部４５を見ることができるので、表示部４５は被検者Ｐの顔の前に位置し、被検者Ｐは表示部４５の画面を見ることができる。一方、被検者Ｐが前面カバー１１向き、すなわち図４では左向きに進むときには、ＰＥＴ検出部３５から前面カバー１１側に離れて配置された表示部４０を見ることができるので、表示部４０は被検者Ｐの顔の前に位置し、被検者Ｐは表示部４０の画面を見ることができる。
【００５３】
図５は、医用画像診断装置のドーム内の配置の他の一例を説明するブロック図である。図５も、図４と同様に表示部４０，４５および照明部５０，５５の配置を説明するものであるが、図４で遮蔽板８６−８９を設けたのに代えて、図５では、遮蔽板９６−９７を設けてＰＥＴ検出部３５を光から遮断する。この遮蔽板９６，９７によって、表示部４０，４５および照明部５０，５５からの光を遮断する。図５では遮蔽板８６−８９を配置していないが、遮蔽板９６−９７とともに配置しても良い。図４と図５の両方の構成を採用することにより、ＰＥＴ検出部３５への光の入射をより確実に防ぐことが出来る。しかし、図５では説明の便宜のために、遮蔽板９６，９７を採用する場合について説明する。さらに、その他の例として、図９ではカバー９８，９９を採用する場合についても後述するが、これも同様に併用してよい。
【００５４】
遮蔽板９６は、Ｘ線部２５およびＰＥＴ検出部３５に沿って円周方向に配置され、被検者Ｐの進行方向および逆方向に対してＸ線部２５およびＰＥＴ検出部３５を覆っている。Ｘ線部２５およびＰＥＴ検出部３５は、医用画像診断装置１０のドーム内に、断面を形成する円周方向に沿って配置されている。したがってこのドーム断面の円周方向に沿って、遮蔽板９６を配置することにより、Ｘ線部２５と、ＰＥＴ検出部３５を光から遮断している。このとき、遮蔽板９６を単純にＸ線部２５とＰＥＴ検出部３５の側部に形成しても良いが、図５に示されるように、ドーム内に出っ張る形にしても良い。内部に出っ張ることにより、その出っ張りの高さの分だけ光を遮断することができる。
【００５５】
なお、この遮蔽板９６は、被検者Ｐの進行方向および逆方向に対して、ＰＥＴ検出部３５の両側に配置される。両側に遮蔽板９６が配置されるので、遮蔽板９６のＸ線部２５側で表示部４０および照明部５０からの光を遮断し、一方、遮蔽板９６の後面カバー１２側で表示部４５および照明部５５からの光を遮断する。Ｘ線部２５には、遮蔽板９６はＰＥＴ検出部３５側のみに配置すれば足りる。Ｘ線部２５から外側には発光装置は配置されていないからである。
【００５６】
このように遮蔽板９６を配置することにより、表示部４０，４５および照明部５０，５５からの光は、遮蔽板９６の側部にまで光を照射させても、Ｘ線部２５およびＰＥＴ検出部３５に光が照射させるのを防ぐことが出来る。すなわち、遮蔽板９６がなければＸ線部２５またはＰＥＴ検出部３５が光の照射範囲となる場合でも、遮蔽板９６があることにより、照射範囲４６，４７，５６，５７は、Ｘ線部２５およびＰＥＴ検出部３５の外側となる。遮蔽板９６により、光の照射範囲に対するＸ線部２５およびＰＥＴ検出部３５の外側となる範囲が広がるので、表示部４０，４５および照明部５０，５５の配置に自由度が増す。
【００５７】
図６は、医用画像診断装置１０の断面図である。図６は具体的には、図４に示した断面１００に沿った断面を示している。断面１００は表示部４０および照明部５０を含むとともに、Ｘ線部２５およびＰＥＴ検出部３５を含まない。したがって図６は、光が照射される領域を示す断面を示している。図５の中央で、被検者Ｐは天板６１に載せられて医用画像診断装置１０の中央に位置している。そしてこの被検者Ｐと天板６１が入れられているドームの、上側に表示部４０が配置され、下側に照明部５０が配置される。図６は断面１００に沿っているのでこうした配置になるが、表示部４５および照明部５５を含む断面で切った場合は、図６の表示部４０は表示部４５に、照明部５０は照明部５５に置き換えられる。
【００５８】
図７は、光の照射経路を含む領域の断面図である。図７が示す領域は図６と同じである。被検者Ｐは天板６１を背に、表示部４０に向かっているので、表示部４０を直接見る位置になる。一方照明部５０は被検者Ｐの背中側にあるので、直接照明部５０を見ることにならない。しかし照明部５０からの光は方向１２０に沿って、ドーム内の円周方向に光が伝わってドーム上部へと進んでいく。それによりドーム内が間接照明的に照らされるので、その過程で光の強度が落ちていくとともに内部が全体的に照らされる。それにより、ドーム内は真っ暗な落ち着かない雰囲気から、程よく照明された安心感のある環境へとなっていく。その一方で、図４および図５で説明したように、Ｘ線部２５およびＰＥＴ検出部３５側への光は遮断するので、機器への悪影響も防いでいる。
【００５９】
図８は、ＰＥＴ検出部が配置される領域の断面図である。図６および７は、断面１００に沿った医用画像診断装置１０の断面図を示したが、図８は、断面１１０に沿った断面を示している。断面１１０は、ＰＥＴ検出部３５を含む一方、表示部４０，４５と照明部５０，５５を含まない。したがって図８は、ＰＥＴ装置３０によって検出がされる領域である一方、光が照射されない領域の断面を示している。図８の中央で、被検者Ｐは天板６１に載せられて医用画像診断装置１０の中央に位置している。そしてこの被検者Ｐと天板６１が入れられているドームの円周方向に沿って、ＰＥＴ検出部３５が配置されている。断面１１０は、ＰＥＴ検出部３５が含まれるどの位置でも同じであり、ＰＥＴ検出部３５が円周に沿って配置され、表示部４０，４５および照明部５０，５５は含まれない。
【００６０】
図９は、ＰＥＴ検出部をカバーで覆った場合の断面図である。図９が示す領域は図８と同じである。図４および図５では、ＰＥＴ検出部３５に入射される光を防ぐために、遮蔽板８６−８９を設けたり、遮蔽板９６を設けたりしたが、これに対して図９ではカバー１３０を配置する。カバー１３０は医用画像診断装置１０の断面の円周に沿って覆うように配置される。カバー１３０はＰＥＴ検出部３５の表面を重ねられるが、カバー１３０とＰＥＴ検出部３５の隙間から光が漏れないように、被検者Ｐに対する進行方向および逆方向へのカバー１３０の幅を、ＰＥＴ検出部３５よりも広くしても良い。このカバー１３０の材料としては、プラスチックが考えられる。プラスチックを採用することにより、表示部４０，４５および照明部５０，５５からの光を遮断することが出来る一方、ＰＥＴ検出部３５への放射線は透過される。光が遮断されるのでＰＥＴ検出部３５へのノイズおよび故障を防ぐことが出来る一方、ガンマ線などの放射線は透過するので、被検者Ｐの撮影は実行することが出来る。カバー１３０としては、光を遮断するとともに放射線を透過する材料であれば他のものも考えられるが、逆に金属などは適さない。
【００６１】
次に、このように構成された本発明に係る医用画像診断装置の一実施例の動作について説明する。
【００６２】
撮影を受ける被検者Ｐは、寝台６０の天板６１に寝かせて載せられる。次に、医師や放射線技師などの医療スタッフが、操作部９０からスキャン制御部７０へ、撮影に当たっての必要な指示を入力する。この指示を受けてスキャン制御部７０は、寝台６０を駆動して被検者Ｐの載っている天板６１を医用画像診断装置１０の撮影部１３へ導き、所定の位置に停止させる。そして、引き続きスキャン制御部７０の指示のもとで、例えばＸ線ＣＴ装置２０によるＣＴ撮影が開始される。なお、このときナビゲーション制御部８０は、スキャン制御部７０の動作信号を受けて、表示部４０や照明部５０をオンにする。
【００６３】
すなわち、ナビゲーション制御部８０は、Ｘ線ＣＴ装置２０による撮影時であれば、表示部４０に例えば「ＣＴ撮影を開始します」とか「ＣＴ撮影を終了しました」などのメッセージを表示する。また、撮影のタイミングに合わせて、例えば「息を止めてください」、「しばらく動かないで下さい」、「息止め終了、楽にしてください」などのメッセージを表示する。
【００６４】
従って被検者Ｐは、この表示部４０の表示を見ながらその指示に沿って撮影の終了を待つ。なお被検者Ｐは、撮影部１３を囲んでいるドームカバー１４に一部着色などによって識別されている部分から、ＣＴ撮影位置２１を認識することができる。また、照明部５０がＸ線ＣＴ装置２０側とＰＥＴ装置３０側とに分けて設けられている場合には、Ｘ線ＣＴ装置２０による撮影時に、ナビゲーション制御部８０がＸ線ＣＴ装置２０側の照明部５０を点灯させるので、被検者Ｐはそのことからも現在Ｘ線ＣＴ装置２０による撮影中であることを認識することができる。
【００６５】
Ｘ線ＣＴ装置２０による撮影が終わると、スキャン制御部７０は寝台６０を駆動して、被検者Ｐの載っている天板６１をＰＥＴ装置３０側へ移動させて所定の位置に停止させる。このとき、照明部５０がＸ線ＣＴ装置２０側とＰＥＴ装置３０側とに分けて設けられている場合には、ナビゲーション制御部８０はＸ線ＣＴ装置２０側の照明部５０を消灯させるとともに、ＰＥＴ装置３０側の照明部５０を点灯させる。これによって、被検者ＰはＸ線ＣＴ装置２０からＰＥＴ装置３０による撮影に切り替わったことを認識できる。
【００６６】
また、スキャン制御部７０の制御に合わせて、ナビゲーション制御部８０は、表示部４０に必要なメッセージを表示する。そのメッセージとしては、撮影の進行に合わせて例えば「ＰＥＴ撮影を開始します」、「撮影には約３０分かかります」、「撮影の残り時間は１０分です」、「ＰＥＴ撮影を終了しました」などを表示する。従って被検者Ｐは、このメッセージを見ることによって、撮影の進行状況を認識できるので、不安感や閉塞感を持つことなく、撮影を受けることができる。なお時間の表示については、文字での表示に代えて、アナログ的、デジタル的なインジケータのような表示手法を用いてもよいことは言うまでもない。
【００６７】
さらに、撮影部１３のドームカバー１４の表面をスクリーンとして利用できるようにしたものにあっては、医用画像診断装置１０の前面カバー１１または後面カバー１２の外側に配置したプロジェクタを、ナビゲーション制御部８０で制御して、撮影の進行状況のほかに、被検者Ｐの要望に応じた動画などを投影することによって、長い時間におよぶ撮影中でも、被検者Ｐをリラックスさせて不安感を軽減し、さらに退屈させることも防止しながら撮影を継続することができる。
【００６８】
以上詳述したように本発明によれば、被検者Ｐの視界が筒状に延びた狭い撮影部１３に限られる状況にあっても、被検者Ｐは撮影部１３内の表示部４０に表示される情報を見ることができるので、被検者Ｐの閉塞感や不安感の軽減に寄与することができる。
【００６９】
なお本発明は、上述の一実施例に限定されるとなく、要旨の範囲内で種々の態様で実施することができる。例えば、Ｘ線ＣＴ装置とＰＥＴ装置を組合せたものに限らず、Ｘ線ＣＴ装置やＰＥＴ装置単体の場合にも本発明を適用することができるし、医用画像診断装置が磁気共鳴イメージング装置であってもよい。ただし磁気共鳴イメージング装置の撮影部に設ける表示部や照明部は、非磁性材料で形成することが必要である。
【図面の簡単な説明】
【００７０】
【図１】医用画像診断装置の一実施例の全体的な構成を示した系統図である。
【図２】医用画像診断装置の一実施例の側面側から見た縦断面図である。
【図３】表示部を内部に配置する場合の一例である。
【図４】医用画像診断装置のドーム内の配置を説明するブロック図である。
【図５】医用画像診断装置のドーム内の配置の他の一例を説明するブロック図である。
【図６】医用画像診断装置の断面図である。
【図７】光の照射経路を含む領域の断面図である。
【図８】ＰＥＴ検出部が配置される領域の断面図である。
【図９】ＰＥＴ検出部をカバーで覆った場合の断面図である。
【符号の説明】
【００７１】
１０  医用画像診断装置
１３  撮影部
１４  ドームカバー
２０  Ｘ線ＣＴ装置
２１  ＣＴ撮影位置
３０  ＰＥＴ装置
３１  ＰＥＴ撮影位置
４０  表示部
５０  照明部
６０  寝台
６１  天板
７０  スキャン制御部
８０  ナビゲーション制御部
９０  操作部
Ｐ  被検者
【図１】
0005575390.tif 000002
【図２】
0005575390.tif 000003
【図３】
0005575390.tif 000004
【図４】
0005575390.tif 000005
【図５】
0005575390.tif 000006
【図６】
0005575390.tif 000007
【図７】
0005575390.tif 000008
【図８】
0005575390.tif 000009
【図９】
0005575390.tif 000010